(57)【要約】【課題】発光面を遮光物体で遮ることによって起こる発光効率の低下を抑制することのできる照明装置を提供すること。【解決手段】発光面２は、１辺が５ｃｍから１５ｃｍの略正方形の乳白色のアクリル板からなり、それぞれの発光面２の背面には計１６個の光源（ＬＥＤ）が、一定の間隔を有して略正方形状に配設されている。また、発光面２の中心部には、発光面２を覆う遮光物体８を検知する遮光物体検知センサ６が埋設されている。遮光物体検知センサ６は、たとえば照度センサである。遮光物体検知センサ６は、受光する光に対応する電圧を出力するものであり、受光する部分は、発光面２の背面に設けた光源１からの光ではなく、外部からの光が入射される向きに設けられている。そして、遮光物体検知センサ６の検知信号が出力された場合に、検知信号を出力した遮光物体検知センサ６を備える発光面２に対応する光源１を消灯させ、その他の光源１は点灯させる。【選択図】        図１
2004193043.tif 000002
【特許請求の範囲】
【請求項１】
光源と光源からの光によって発光する発光面とを備えて形成されるブロックが複数連結されて形成される発光パネルと、それぞれの光源の光出力を制御する制御部と、を有する照明装置において、それぞれの発光面に、発光面を覆う遮光物体を検知する遮光物体検知センサを設け、制御部は、遮光物体検知センサの検知信号が出力された場合に、検知信号を出力した遮光物体検知センサを備える発光面に対応する光源を消灯させるものであることを特徴とする照明装置。
【請求項２】
前記制御部は、前記遮光物体検知センサの検知信号により、光源を消灯させた場合に、消灯させた光源を除く他の光源の光出力を増加させるものであることを特徴とする請求項１記載の照明装置。
【請求項３】
タイマーを具備し、前記制御部は、タイマーの設定時間内にのみ前記光源を点灯させるものであることを特徴とする請求項１又は請求項２のいずれかに記載の照明装置。
【請求項４】
タイマーを具備し、タイマーは、前記遮光物体検知センサの検知信号により光源が消灯した場合に、消灯した光源を除く他の光源の点灯時間を増加させるものであることを特徴とする請求項１又は請求項２のいずれかに記載の照明装置。
【請求項５】
人感センサを備え、前記制御部は、人感センサが検知信号を出力している場合のみ前記光源を点灯させるものであることを特徴とする請求項１乃至請求項４のいずれかに記載の照明装置。
【発明の詳細な説明】
【０００１】
【発明の属する技術分野】
本発明は、照明装置、特に作業者等の覚醒度の上昇や、生体リズムの調整を促す照明装置に関するものである。
【０００２】
【従来の技術】
光には人体の生体リズムを調整したり、即効的に覚醒度を上昇させたりする作用があることが広く知られている。この作用は、睡眠障害者に対する光治療や生体リズム機能の弱りがちな高齢者の生活の質の向上、更にはオフィスワーカーをはじめとした様々な作業者の昼間の覚醒度の上昇に利用されている。
【０００３】
これらの用途に用いる照明装置としては、特開２０００−２７９５２２号公報に示されるものがある。このものには、座姿勢における簡単な作業動作又は生活動作用の作業台の上面に、発光面中心から垂直に３０ｃｍでの照度が、８００ｌｘ以上であり、発光面の輝度比が、ほぼ２．０以下、発光面積がほぼ９００ｃｍ2以上とする高照度低輝度の光を作業者に出力する複数の発光面を備え、各発光面に対応する光源をそれぞれ単独にて制御するものが示されている。
【０００４】
また、別の従来例として、特開平８−１５０２１０号公報に示されるものがある。このものは、光源を備えた低輝度高照度発生部と、光源を点灯させる点灯回路と、低輝度高照度発生部を納めるとともに低輝度高照度発生部からの光を外部に出す筐体と、該筐体に設けられて低輝度高照度発生部から出る光を筐体外部に出力する開口面からなり、高照度光を供給する発光面の輝度を低く抑えた低輝度高照度光を光治療用の光として出力するものである。
【０００５】
【特許文献１】
特開２０００−２７９５２２号公報
【０００６】
【特許文献２】
特開平８−１５０２１０号公報
【０００７】
【発明が解決しようとする課題】
しかしながら、上記従来例においては、発光面を遮光物体で遮った場合に、遮光物体の存在により発光面から出た光が遮光物体に吸収又は反射され、これにより、被照射物に到達する光が減少し、結果的に発光効率が低下することが懸念される。
【０００８】
本発明は、かかる事由に鑑みてなしたものであり、その目的とするところは発光面を遮光物体で遮ることによって起こる発光効率の低下を抑制することのできる照明装置を提供することである。
【０００９】
【課題を解決するための手段】
請求項１に係る発明は、光源と光源からの光によって発光する発光面とを備えて形成されるブロックが複数連結されて形成される発光パネルと、それぞれの光源の光出力を制御する制御部と、を有する照明装置において、それぞれの発光面に、発光面を覆う遮光物体を検知する遮光物体検知センサを設け、制御部は、遮光物体検知センサの検知信号が出力された場合に、検知信号を出力した遮光物体検知センサを備える発光面に対応する光源を消灯させるものであることを特徴とする。
【００１０】
請求項２に係る発明は、請求項１記載の発明において、前記制御部は、前記遮光物体検知センサの検知信号により、光源を消灯させた場合に、消灯させた光源を除く他の光源の光出力を増加させるものであることを特徴とする。
【００１１】
請求項３に係る発明は、請求項１又は請求項２のいずれかに記載の発明において、タイマーを具備し、前記制御部は、タイマーの設定時間内にのみ前記光源を点灯させるものであることを特徴とする。
【００１２】
請求項４に係る発明は、請求項１又は請求項２のいずれかに記載の発明において、タイマーを具備し、タイマーは、前記遮光物体検知センサの検知信号により光源が消灯した場合に、消灯した光源を除く他の光源の点灯時間を増加させるものであることを特徴とする。
【００１３】
請求項５に係る発明は、請求項１乃至請求項４のいずれかに記載の発明において、人感センサを備え、前記制御部は、人感センサが検知信号を出力している場合のみ前記光源を点灯させるものであることを特徴とする。
【００１４】
【発明の実施の形態】
（第１の実施形態）
図１（ａ）は、本実施形態の上面図、（ｂ）は（ａ）のＸ−Ｘ‘での側断面図である。また、図２は、発光パネル４及び天板７ａの断面図を、図３は本実施形態の回路ブロック図を、図４は、本実施形態の動作時のフローをそれぞれ示す。
【００１５】
本実施形態の照明装置は、図１、図２又は図３に示すように光源１と光源１からの光によって発光する発光面２とを備えて形成されるブロック３が複数平面状に連結されて形成される発光パネル４と、それぞれの光源１の光出力を制御する制御部５と、発光面２を覆う遮光物体８を検知する遮光物体検知センサ６を有しており、それらは作業机７の天板７ａに埋設されている。ここで、図２中の矢印は光の照射方向を示している。
【００１６】
光源１は、たとえばチップ型のＬＥＤである。発光面２は、１辺が５ｃｍから１５ｃｍの略正方形の乳白色のアクリル板からなり、それぞれの発光面２の背面には計１６個の光源１（ＬＥＤ）が、一定の間隔を有して略正方形状に密着されて配設されている。また、発光面２の中心部には、発光面２を覆う遮光物体８を検知する遮光物体検知センサ６が埋設されている。遮光物体検知センサ６は、たとえば照度センサである。遮光物体検知センサ６は、受光する光に対応する電圧を出力するものであり、受光する部分は、発光面２の背面に設けた光源１からの光ではなく、外部からの光が入射される向きに設けられている。すなわち、図２において、矢印の方向を向いているのである。そして、光源１、発光面２及び遮光物体検知センサ６を備えてブロック３が形成されている。このブロック３は、作業机７の天板７ａに一定の間隔を有して略正方形の形状に計４８個のブロック３が配設され、平面状の発光パネル４を形成している。発光パネル４は、作業者９が座姿勢にて使用する作業机７の天板７ａに埋設されている。つぎに、回路ブロックについて説明する。図３に示すように、複数の光源１（一部の光源１のみ図示）の点灯回路１４は、第１のリレー１２及び第２のリレー１３を介して商用電源に接続されている。ここで、第１のリレー１２の接点を切り替える回路は、制御部５を介して照明装置の使用時間を設定するタイマー１０に、第２のリレー１３の接点を切り替える回路は制御部５を介して人感センサ１１に接続されている。そして、制御部５は、遮光物体検知センサ６及び点灯回路１４にも接続されている。
【００１７】
つぎに本実施形態の動作を図４に示すフローに基づいて説明する。本実施形態の照明装置が電源に接続された後、タイマー１０は、その時の時刻が、設定時間すなわち作業者９に光を照射すべき時間帯であるかどうかを判断し、作業者９に光を照射すべき時間帯でない場合には、タイマー１０から信号は出力されず、制御部５は第１のリレー１２に操作信号を出力しないので、第１のリレー１２の接点は開放を維持する。一方、作業者９に光を照射すべき時間帯であれば、タイマー１０から信号が出力され、制御部５は第１のリレー１２に操作信号を出力するので、第１のリレー１２の接点は閉じる。つぎに、人感センサ１１は、第１のリレー１２の接点が閉じた後、作業者９が作業机７を使用しているかどうかを判断する。人感センサ１１が作業者９を検知しない場合には、検知信号が制御部５に出力されず、制御部５は、第２のリレー１３に操作信号を出力しないので、第２のリレー１３は開放を維持する。また、人感センサ１１が作業者９を検知する場合には、検知信号を制御部５に出力し、制御部５は、第２のリレー１３に操作信号を出力して第２のリレー１３の接点は閉じる。そして、第１のリレー１２及び第２のリレー１３リレーの接点が閉じると、それぞれの発光面２に配設された遮光物体検知センサ６が遮光物体８の有無を検知し、制御部５に検知信号を出力する。制御部５は、すべての遮光物体検知センサ６から検知信号が出力されない場合には、制御信号を出力して点灯回路１４にすべての光源１を点灯させる。また、いずれかの遮光物体検知センサ６から検知信号が出力される場合には、検知信号を出力する遮光物体検知センサ６を備える発光面２に対応する光源１を消灯させ、他の光源１を点灯させる。さらに、制御部５は、消灯させた光源１を除く他の光源１の光出力を増加させる。
【００１８】
以上の動作により、発光面２の外部に光を放射しない光源１、すなわち、作業者９に光を照射しない光源１を消灯させるので、発光効率の低下を抑制することができる。また、作業者９に光を照射しない光源１を消灯させた場合には、消灯させた光源１を除く他の光源１の光出力を増加させるので、検知信号を出力したセンサを備える発光面に対応する光源を消灯させたことによる光出力の減少を補い、作業者９の覚醒度を上昇させることができる。
【００１９】
なお、本実施形態においては、図３に示す回路ブロックを用いたが、図５に示す第２の回路ブロック又は図６に示す第３の回路ブロックを用いてもよい。すなわち、図５は人感センサ１１及び第２のリレー１３を有さないものであり、タイマー１０を具備し、制御部５は、タイマー１０の設定時間の作業者９に光を照射すべき時間帯にのみ、第１のリレー１２の接点を閉じて、光源１を点灯させるように点灯回路１４を商用電源に接続させる。また、図６はタイマー１０及び第１のリレー１２を有さないものであって、人感センサ１１を備え、制御部５は、人感センサ１１が検知信号を出力している場合のみ光源１を点灯させるように点灯回路１４を商用電源に接続させる。
【００２０】
また、光源１としてＬＥＤを用いたが、図７に示すように、光源としてＥＬ発光素子１５を用いてもよい。光源としてＥＬ発光素子１５を用いた場合には、発光パネル４をシート状にすることができる。これにより、本照明装置を既存の机に用いることが可能となる。また、いずれかの遮光物体検知センサ６から検知信号が出力される場合には、検知信号を出力する遮光物体検知センサ６を備える発光面２に対応する光源１を消灯させ、さらに制御部５は、消灯させた光源１を除く他の光源１、すなわち点灯している光源１の光出力を増加させるようにしたが、光源１の光出力を増加させる代りに、遮光物体検知センサ６から検知信号が出力される場合には、制御部５からタイマー１０に設定時間の作業者９に光を照射すべき時間帯を延長する制御信号を出力させる。これにより、消灯した光源１を除く他の光源１の点灯時間が増加し、覚醒度を上昇させることができる。また、これらの手段を組み合わせてもよい。
【００２１】
（第２の実施形態）
図８（ａ）は、本実施形態の上面図、（ｂ）は（ａ）のＹ−Ｙ‘での側断面図である。また、図９は、発光パネル４及び平板２１の断面図を示す図である。
【００２２】
第２の実施形態は、作業机７の構造が異なる以外は第１の実施形態と同じである。すなわち、本実施形態においては、作業机７の天板７ａの一部（作業者９の左右斜め前及び正面）に方形状の凹部２０を設け、その凹部２０に対応するように発光パネル４が配設された平板２１を載置している。ここで、平板２１の一端部と凹部２０の端部には、たとえば蝶番からなる回動部２２を設けてそれらを接続している。
【００２３】
以上の構成により、回動部２２を回転軸にして、平板２１の角度を作業机７の天板７ａに対して０から１８０℃の範囲で平板２１の発光パネル４の位置を変化させ、これにより、作業者９に照射する光出力を調整することができる。
【００２４】
（第３の実施形態）
図１０（ａ）は、本実施形態の前面図、（ｂ）は（ａ）のＺ−Ｚ‘での上断面と作業者９、作業机７及び遮光物体８を示す図である。また、図１１は、発光パネル４及びパーティション３０の断面図である。
【００２５】
第３の実施形態は、発光パネル４をパーティション３０に設けた点が異なり、他は第１の実施形態と同じである。すなわち、本実施形態においては、作業者９が使用する作業机７の対面にパーティション３０を立設し、作業者９と対向するパーティション３０の面に発光パネル４に設けている。ここで、発光パネル４の動作は、第１の実施形態と同じである。
【００２６】
これにより、パーティション３０に設けた発光パネル４の発光面２の前面に、たとえば本立てに立て掛けて置く等、遮光物体８で遮ることになった場合においても、遮光物体検知センサ６の検知信号により、検知信号を出力した遮光物体検知センサ６を備える発光面２に対応する光源１を消灯させ、その他の光源１を点灯させる。すなわち、作業者９に光を照射しない光源１を消灯させるので、発光効率の低下を抑制することができる。
【００２７】
なお、本実施形態においては、光源１としてＬＥＤを用いたが、図１２に示すように、光源としてＥＬ発光素子１５を用いてもよい。光源としてＥＬ発光素子１５を用いた場合には、発光パネル４をシート状にすることができる。これにより、本照明装置を既存のパーティションに用いることが可能となる。
【００２８】
また、以上の実施形態において、発光面２を覆う遮光物体８を検知する遮光物体検知センサ６として照度センサを用いたが、圧力を検知する圧力センサを用いてもよい。圧力センサを用いた場合、遮光物体８を作業机７上に載置、又はパーティション３０に密着させて設置すると、圧力センサには圧力がかかるため、この圧力を圧力センサで検知することができる。
【００２９】
【発明の効果】
請求項１に係る発明は、光源と光源からの光によって発光する発光面とを備えて形成されるブロックが複数連結されて形成される発光パネルと、それぞれの光源の光出力を制御する制御部と、を有する照明装置において、それぞれの発光面に、発光面を覆う遮光物体を検知する遮光物体検知センサを設け、制御部は、遮光物体検知センサの検知信号が出力された場合に、検知信号を出力した遮光物体検知センサを備える発光面に対応する光源を消灯させるものであるようにしたので、発光面の外部に光を放射しない光源、すなわち、作業者に光を照射しない光源を消灯させることになり、発光効率の低下を抑制することができる。
【００３０】
請求項２に係る発明は、請求項１記載の発明において、前記制御部は、前記センサの検知信号により、光源を消灯させた場合に、消灯させた光源を除く他の光源の光出力を増加させるものであるので、発光面を覆う遮光物体を検知するセンサが検知信号を出力し、検知信号を出力したセンサを備える発光面に対応する光源を消灯させたことによる光出力の減少を補い、作業者の覚醒度を増加させることができる。
【００３１】
請求項３に係る発明は、請求項１又は請求項２のいずれかに記載の発明において、タイマーを具備し、前記制御部は、タイマーの設定時間内にのみ前記光源を点灯させるものであるので、覚醒度を増加させることが必要になる時間帯にのみ、光を作業者に照射でき、無駄な電力消費を抑制することができる。
【００３２】
請求項４に係る発明は、請求項１又は請求項２のいずれかに記載の発明において、タイマーを具備し、タイマーは、前記センサの検知信号により光源が消灯した場合に、消灯した光源を除く他の光源の点灯時間を増加させるものであるので、検知信号を出力したセンサを備える発光面に対応する光源を消灯させたことによる光量の減少を補い、作業者の覚醒度を増加させることができる。
【００３３】
請求項５に係る発明は、請求項１乃至請求項４のいずれかに記載の発明において、人感センサを備え、前記制御部は、人感センサが検知信号を出力している場合のみ前記光源を点灯させるものであるので、無駄な消費電力を抑制することができる。
【図面の簡単な説明】
【図１】（ａ）は、第１の実施形態の上面図、（ｂ）は（ａ）のＸ−Ｘ‘での側断面図である。
【図２】第１の実施形態の発光パネル４及び天板７ａの断面図である。
【図３】第１の実施形態の回路ブロック図である。
【図４】第１の実施形態の動作時のフローである。
【図５】第１の実施形態の第２の回路ブロック図である。
【図６】第１の実施形態の第３の回路ブロック図である。
【図７】第１の実施形態において光源としてＥＬ発光素子１５を用いた場合の、発光パネル４及び天板７ａの断面図である。
【図８】（ａ）は、第２の実施形態の上面図、（ｂ）は（ａ）のＹ−Ｙ‘での側断面図である。
【図９】第２の実施形態の発光パネル４及び平板２１の断面図である。
【図１０】（ａ）は、第３の実施形態の前面図、（ｂ）は（ａ）のＺ−Ｚ‘での上断面と作業者９、作業机７及び遮光物体８を示す図である。
【図１１】第３の実施形態の発光パネル４及びパーティション３０の断面図である。
【図１２】第３の実施形態において光源としてＥＬ発光素子１５を用いた場合の、発光パネル４及びパーティション３０の断面図である。
【符号の説明】
１    光源
２    発光面
３    ブロック
４    発光パネル
５    制御部
６    遮光物体検知センサ
７    作業机
７ａ  天板
８    遮光物体
９    作業者
１０  タイマー
１１  人感センサ
１２  第１のリレー
１３  第２のリレー
１４  点灯回路
【図１】
2004193043.tif 000003
【図２】
2004193043.tif 000004
【図３】
2004193043.tif 000005
【図４】
2004193043.tif 000006
【図５】
2004193043.tif 000007
【図６】
2004193043.tif 000008
【図７】
2004193043.tif 000009
【図８】
2004193043.tif 000010
【図９】
2004193043.tif 000011
【図１０】
2004193043.tif 000012
【図１１】
2004193043.tif 000013
【図１２】
2004193043.tif 000014